(57)【要約】      （修正有）【課題】片手で蓋の開閉が可能であり、開状態においても蓋と容器本体とを一体的に保持することができる香合を提供する。【解決手段】容器本体２は、上面１１側に開口２１を有する凹部２２と、開口２１の周縁には開口周縁部２３とを備える。蓋３は、内面３１が開口２１を覆い開口縁部２３に対して摺動可能であり、先端面３５および後端面３６と、先端面３５および後端面３６の間に延びる一対の側面とを備える。側面は外面３２から内面３１に向かって互いに広がるように傾斜する。容器本体２は、開口縁部２３から起立し後端面３６が当接可能な当接部２４と、一対の側面を摺動可能に支持する摺動支持部２５とを備え、摺動支持部２５は側面の傾斜に沿って傾斜する。蓋３の内面１１の先端部３３には第１磁性体４１を設け、後端部３４には第２磁性体４２を設ける。容器本体２の開口縁部２３であって当接部２４とは反対側に第３磁性体４３を設ける。【選択図】図３
0003204182.tif 000002
【実用新案登録請求の範囲】
【請求項１】
少なくとも一部の面に開口する凹部を備える容器本体および前記開口を覆う蓋を備える香合であって、
前記蓋は、前記容器本体の開口縁部を摺動可能であるとともに、前記開口に対向する内面および前記内面の反対側に位置する外面と、摺動方向先端部およびその反対側に位置する後端部とを備え、
前記先端部の前記内面には第１磁性体が設けられ、前記後端部の前記内面には第２磁性体が設けられ、
前記容器本体の前記開口縁部には、第３磁性体が設けられ、
前記蓋の閉状態において前記第１磁性体と前記第３磁性体とが対向するとともに互いに吸着し、前記蓋の開状態において前記第２磁性体と前記第３磁性体とが対向するとともに互いに吸着することを特徴とする香合。
【請求項２】
前記蓋は、前記内面と前記外面との間に位置するとともに前記先端部に位置する先端面と、前記後端部に位置する後端面と、前記先端面および前記後端面の間に延びる一対の側面とを備え、
一対の前記側面は、前記外面から前記内面に向かって互いに広がるように傾斜し、
前記容器本体は、前記開口縁部から起立するとともに前記蓋の前記後端面が当接可能な当接部と、一対の前記側面を摺動可能に支持する一対の摺動支持部とを備え、
一対の前記摺動支持部は、前記側面の傾斜に沿って、前記開口縁部に向かって互いの離間寸法が大きくなるように傾斜することを特徴とする請求項１記載の香合。
【考案の詳細な説明】
【技術分野】
【０００１】
この考案は、末香を入れるための香合に関し、より詳細には、容易に蓋を開閉することができる香合に関する。
【背景技術】
【０００２】
従来、容器本体と蓋とを備えた香合が知られる。この従来の香合は、容器本体に対して蓋を開閉可能に取り付けるとともに、不用意に蓋が外れないように、これらを螺合することができるようにしている。したがって、蓋を閉じている状態において末香の飛散を防止することができ、特に携帯に便利である。
【先行技術文献】
【特許文献】
【０００３】
【特許文献１】特開２００２−４６７４５号公報
【考案の概要】
【考案が解決しようとする課題】
【０００４】
しかしながら、このような香合の蓋の開閉に際して、容器本体を一方の手に持ち、蓋を他方の手に持ってこれらを互いに回動させなければならないので両手がふさがってしまう。例えば、焼香をするときには、容器本体を一方の手に持ち、他方の手で末香をつまむから、外した蓋をどこかに置かなければならない。しかし、必ずしも安定して蓋を置く場所があるとは限らず、また、その動作が煩わしいという問題があった。
【０００５】
この考案では、片手で蓋の開閉が可能であり、かつ、開状態においても蓋と容器本体とを一体的に保持することができる香合を提供することを課題とする。
【課題を解決するための手段】
【０００６】
この考案の香合は、少なくとも一部の面に開口する凹部を備える容器本体および前記開口を覆う蓋を備える香合であって、前記蓋は、前記容器本体の開口縁部を摺動可能であるとともに、前記開口に対向する内面および前記内面の反対側に位置する外面と、摺動方向先端部およびその反対側に位置する後端部とを備え、前記先端部の前記内面には第１磁性体が設けられ、前記後端部の前記内面には第２磁性体が設けられ、前記容器本体の前記開口縁部には、第３磁性体が設けられ、前記蓋の閉状態において前記第１磁性体と前記第３磁性体とが対向するとともに互いに吸着し、前記蓋の開状態において前記第２磁性体と前記第３磁性体とが対向するとともに互いに吸着することを特徴とする。
【０００７】
前記蓋は、前記内面と前記外面との間に位置するとともに前記先端部に位置する先端面と、前記後端部に位置する後端面と、前記先端面および前記後端面の間に延びる一対の側面とを備え、一対の前記側面は、前記外面から前記内面に向かって互いに広がるように傾斜し、前記容器本体は、前記開口縁部から起立するとともに前記蓋の前記後端面が当接可能な当接部と、一対の前記側面を摺動可能に支持する一対の摺動支持部とを備え、一対の前記摺動支持部は、前記側面の傾斜に沿って、前記開口縁部に向かって互いの離間寸法が大きくなるように傾斜することを特徴とするものであってもよい。
【考案の効果】
【０００８】
この考案の香合によれば、蓋が容器本体の開口縁部を摺動可能であるから、片手で蓋を開閉することができる。また、蓋の閉状態においては、蓋の第１磁性体と容器本体の第３磁性体を対向させ吸着させるからこの閉状態を維持することができる。蓋の開状態においては、蓋の第２磁性体と容器本体の第３磁性体とを対向させ吸着させるから蓋が容器本体から外れることなく、蓋を容器本体で保持することができる。したがって、香合の蓋を開けて、蓋を閉めるまでの一連の動作を片手のみでおこなうことができる。
【図面の簡単な説明】
【０００９】
【図１】この考案に係る香合の一実施形態を示す斜視図であって閉状態を示した図。
【図２】図１の開状態を示した図。
【図３】（Ａ）図１のＩＩＩＡ−ＩＩＩＡ断面図。            （Ｂ）図２のＩＩＩＢ−ＩＩＩＢ断面図。
【図４】図１のＩＶ−ＩＶ線断面図。
【考案を実施するための形態】
【００１０】
図１〜図４は、この考案の香合１の一実施形態を示すものである。香合１は、末香を入れる容器本体２と、蓋３とを備える。この実施形態において香合１は、全体として円柱形であり、略円形の上面１１と、上面１１に対向するとともに略円形の底面１２と、これらの間に延びる周面１３とを備える。
【００１１】
容器本体２は、上面１１側に開口２１を有する凹部２２が設けられ、この凹部２２に末香を収納可能である。凹部２２は略矩形であるとともに、その角に丸みを持たせ、末香が詰まりにくいようにしている。開口２１の周縁には開口縁部２３が形成される。開口縁部２３は同一平面状に広がっている。
【００１２】
蓋３は、容器本体２の開口２１を覆うように設けられとともに、略矩形の板状である。より詳細には、蓋３は、開口２１に対向する内面３１と、内面３１の反対側に位置する外面３２とを備え、内面３１が開口２１を覆うとともに、容器本体２の開口縁部２３に対して摺動可能である。蓋３は、摺動方向における先端部３３と、先端部３３の反対側に位置する後端部３４とを備える。また、蓋３は、内面３１と外面３２との間に延びる環状の側面を備え、これら側面は先端部３３に位置する先端面３５と、後端部３４に位置する後端面３６と、これら先端面３５および後端面３６の間に延びる一対の側面３７とを備える。この実施形態において先端面３５は、容器本体２の周面１３と同じ曲率を有する曲面であり、後端面３６および側面３７はそれぞれ直線状の平面である。
【００１３】
後端面３６は、後端面３６および先端面３５間の寸法が、外面３２から内面３１に向かって大きくなるように傾斜する。すなわち、内面３１に向かって広がるように傾斜する。一対の側面３７は、外面３２から内面３１に向かって互いに広がるように傾斜する。
【００１４】
容器本体２は、開口縁部２３から起立するとともに蓋３の後端面３６が当接可能な当接部２４と、同様に開口縁部２３から起立するとともに蓋３の一対の側面３７を摺動可能に支持する一対の摺動支持部２５とを備える。当接部２４は、後端面３６の傾斜に沿って傾斜する。すなわち、上面１１から開口縁部２３に向かって、当接部２４と周面１３との間の寸法が小さくなるように傾斜する。一対の摺動支持部２５は、側面３７の傾斜に沿って傾斜する。すなわち、上面１１から開口縁部２３に向かって互いの離間寸法が大きくなるように傾斜する。
【００１５】
容器本体２の開口縁部２３は、当接部２４および摺動支持部２５との間においては、末香が載らない程度の寸法とすることが好ましい。このような寸法にすることによって、開口縁部２３に末香が載るのを防止し、凹部２２内へと落下させることができ、蓋３との間で末香が挟まれるのを予防することができる。また、当接部２４の反対側においては、開口縁部２３は容器本体２の周面１３まで延び、蓋３を挿入可能としている。
【００１６】
特に図３（Ａ）および図３（Ｂ）を参照すれば、蓋３の内面３１であって、先端部３３には第１磁性体４１が設けられる。同様に蓋３の内面３１であって、後端部３４には第２磁性体４２が設けられる。これら第１磁性体４１および第２磁性体４２は、蓋３に埋め込まれるように配置され、内面３１から突出しないようにしている。容器本体２の開口縁部２３であって当接部２４とは反対側には第３磁性体４３が設けられる。第３磁性体４３は容器本体２に埋め込まれるように配置され、開口縁部２３から突出しないようにしている。また、蓋３の外面３２には、一対の側面３７のほぼ中央であって、やや先端部３３側に指を引っ掛けて蓋３を摺動可能な段部３８を設ける。この実施形態において段部３８はすり鉢状の凹部によって形成している。
【００１７】
図１および図３（Ａ）に示したように、蓋３の閉状態において、蓋３の第１磁性体４１と容器本体２の第３磁性体４３とが対向し互いに吸着する。容器本体２の当接部２４から第３磁性体４３までの寸法は、蓋３の後端面３６から第１磁性体４１までの寸法よりも小さい。すなわち、第１磁性体４１と第３磁性体４３とは互いに対向するものの、第１磁性体４１は、第３磁性体４３よりも先端面３５側にずれて配置される。このようにずれて配置されることによって、蓋３の閉状態において、蓋３は後端面３６が当接部２４に付勢される。したがって、後端面３６と当接部２４とが密着し、閉状態を維持することができるとともにこれらの間から末香がこぼれないようにすることができる。また、後端面３６および当接部２４が図３（Ａ）の右下がりに傾斜することによって、より一層末香をこぼれにくくすることができる。
【００１８】
上記のような蓋３の開状態から、容器本体２に対して蓋３を摺動して凹部２２を露出させる。すなわち、段部３８に指を当て、図１の矢印Ｘ方向へと蓋３を摺動させる。蓋３の側面３７は図４下方に向かって広がるように傾斜し、容器本体２の摺動支持部２５も側面３７に沿って図面下方に向かって広がるように傾斜する。したがって、蓋３を矢印Ｘ方向へ摺動させたとき、蓋３が図面上方へ抜けてしまうのを防止することができる。なお、蓋３を矢印Ｘ方向に摺動させる場合には、第１磁性体４１と第３磁性体４３との吸着力に抗して移動させなければならず、段部３８に指を引っ掛けることによって、これを移動させやすくすることができる。特に、片方の手のひらに容器本体２を載せ、同一の手の親指を使って蓋３を摺動するのに好適に用いることができる。
【００１９】
蓋３を矢印Ｘ方向に移動させると、蓋３が容器本体２からすべて外れる前に、第２磁性体４２が第３磁性体４３に対向する。したがって、図２および図３（Ｂ）に示したように、蓋３の開状態においては、第２磁性体４２と第３磁性体４３とが対向し、互いに吸着することによって、蓋３の開状態を維持することができる。また、第２磁性体４２と第３磁性体４３とが吸着することによって、蓋３を容器本体２に一体的に保持させておくことができる。すなわち、開状態においても蓋３が容器本体２から分離させることがないから、蓋３を別途ほかの場所に置く必要がない。
【００２０】
上記のような香合１によれば、蓋３を開けて末香を取り出し、再び蓋３を占めるまでの動作を片手でおこなうことができる。また、開状態においても蓋３を容器本体２と一体的に保持することができるから、蓋３を紛失することもない。さらに、蓋３の閉状態においては、末香が飛散することがないから、特に携帯に便利である。
【００２１】
香合１を構成する各構成部材は、木材の他、金属、合成樹脂等、この種の分野において通常用いられている、各種の公知の材料を制限なく用いることができる。また、本考案の明細書および実用新案登録請求の範囲において、用語「第１」「第２」および「第３」の語は、同称の要素、位置等を単に区別するために用いられている。
【符号の説明】
【００２２】
１    香合
２    容器本体
３    蓋
１１    上面
１２    底面
１３    周面
２１    開口
２２    凹部
２３    開口周縁部
２４    当接部
２５    摺動支持部
３１    内面
３２    外面
３３    先端部
３４    後端部
３５    先端面
３６    後端面
３７    側面
３８    段部
４１    第１磁性体
４２    第２磁性体
４３    第３磁性体
【図１】
0003204182.tif 000003
【図２】
0003204182.tif 000004
【図３】
0003204182.tif 000005
【図４】
0003204182.tif 000006